(57)【要約】      （修正有）【課題】海底に立てた一連の支柱に帆布（またはネット）を張り巡らすことによって、海底付近の栄養塩類を豊富にふくむ深層水を海の表面近くに湧き昇らせ、太陽の光と熱を浴びさせて植物プランクトンの大量発生を可能にし、大量のプランクトンの発生が魚類の餌を豊かに供給することとなって魚類を増殖させ、漁獲量を増やすとともに炭酸同化作用で二酸化炭素の分解に役立てる涌昇テントを提供する。【解決手段】海底１に数本の支柱２を低層流７とほぼ直角に並立し、各支柱の頂部に帆布またはネットの上辺側４を懸け、下辺側３には錨９を装備して底層流の上流側の海底に設置する。さらに、帆布またはネットの斜面を底層流７に向けて拡げ、底層流をその斜面に沿って上層させるように涌昇テントを配する。【選択図】図２
0003164296.tif 000002
【実用新案登録請求の範囲】
【請求項１】
本提案は数本の支柱を海中の低層流が流れる方向と直角に並立して海底に打ち込む。
【請求項２】
支柱の頂部にフックを設け、これに帆布（またはネット）を懸ける。帆布（またはネット）を上下に複数段懸ける場合はこれに応じて支柱の上下数ヶ所にフックを設ける。また、下流側にも帆布（またはネット）を取り付ける場合は、支柱の下流側にも同様にフックを設ける。
【請求項３】
帆布（またはネット）は上縁側を支柱に懸け、下縁側に錨を装備してできるだけ外に打ち込んで帆布（またはネット）を拡げ、低層水の流れが帆布（またはネット）に沿って上昇流に転じるよう適度の勾配をもたせる。
【請求項４】
炭素繊維の極細糸を帆布（またはネット）に含めた素材が入手できれば使用する。
【考案の詳細な説明】
【技術分類】
【０００１】    海底に立てた複数本の杭を支柱にして網または布の上辺を掛け、その下辺を錨で海底に固定して、海底付近を流下する海流を迎え上昇流を生じる斜面を造ることにより海底付近の海流を湧き昇らせ、その海水に豊富に含まれる栄養塩などの営養分を太陽光に当てることによって大量の植物プランクトンを発生させる。植物プランクトンの大量発生はこれを食料とする動物プランクトンを、動物プランクトンの大量発生は魚類にとって豊富な餌の供給となって、魚類の大量増殖、急速な成長をもたらす。また植物プランクトンは太陽光と栄養分をもとに炭酸同化作用を起こして大量繁殖するので、大気及び海中に溶存する二酸化炭素を分解し、地球温暖化防止に役立つ。
【背景技術】
【０００２】    海底に人工の海底山脈を造成して海底に滞留する豊富な有機塩類を海の上層部に湧昇させ、魚類の餌となる大量のプランクトンを発生させて大量の漁獲を得る技術は１９８５年から２０００年にかけｈａｚａｍａ  Ｃｏｒｐｏｒａｔｉｏｎ（間組）によって進められ、長崎県沖の海域で実施されて成功を収めたことは夙に報じられている。【０００３】    しかしこの方法は人工海底山脈の建設に巨額の建設費用を要するため水産庁や地方自治体の補助金を必要とし、その後の普及が遅々として進んでいない。
これは要するにその設備投資にともなう漁獲の増収が設備コストに十分見合わないためと見られ、もっと低コストの設備によって同じ効果を得られる方法を開発することが必要である。
【先行技術文献】
【０００４】    Ｈａｚａｍａ  Ｃｏｒｐｏｒａｔｉｏｎのインターネット上ホームページ：
＜ｈｔｔｐ：／／ｗｗｗ．ｈａｚａｍａ．ｃｏ．ｊｐ／ａｓｈｃｒｅｔｅ／ｓｕｂｍａｒｉｎｅ／ｉｎｄｅｘ．ｈｔｍｌ＞が人工海底山脈について説明している。
【考案の概要】
【考案が解決しようとする課題】
【０００５】    昭和前期に人口七千万の日本人の食膳は概して貧しく、世界的大漁場である北日本の豊かな漁獲を食べきれずに大量の魚肥、つまり肥料にしていたが、戦後所得の飛躍的向上、漁労の技術革新、鮮魚類の遠距離輸送の実現で食膳は豊かになり、大量の遠洋魚や海老等が輸入され、また欧米、さらには中国、韓国、インドまで日本食が普及するにつれて魚介類の需給は急速に逆転した。しかも地引き網など魚を根こそぎ獲る漁法は漁場の荒廃を招いている。
今後中国など後発国の所得向上に伴って水産食品の需給は世界的にますますタイトになると予想され、適切な長期的対策の実行が急務になりつつある。現に京都大学東アジアセンター・ニュースレター第３１５号は次のように報じ、激増する肥満人口は遠からず日本食、魚肉需要に向かうと予想するに難くない。早急な抜本策が必要である。
『人口：ウエストの拡大スピード世界一！肥満人口３億人超に。
大河網５月１日付によると、３０日、中国にはリンゴ型体型の肥満が多く、ウエストサイズの拡大スピードが世界一であることが分かった。
米医学誌「Ｈｅａｌｔｈ  Ａｆｆａｉｒｓ」にこのほど発表された研究レポートによると、中国の肥満人口は現在３億２５００万人に達しており、その増加スピードは米国、英国、オーストラリアを超えている。この数値は今後２０年間で２倍になる可能性があるという。中国の肥満人口は驚くべきスピードで増えている。１９８２年には総人口の７％だったが、現在は成人４人に１人の割合にまで増加。この数値はヨーロッパ各国を遥かに超えており、その原因として専門家は「中国人の食生活が菜食から肉食へと偏ってきたこと」「ファーストフードの普及」「スポーツや肉体労働の機会が減ったこと」を挙げている。』【０００６】    顧みれば従来の漁業はいわば縄文時代の採集経済に似ており、他方高密度の養殖漁業が部分的に進歩したが、広大な海洋を低コストで活用する牧場型漁業の開発が未開発に止まっている。
海底には栄養塩類を豊富に含む深層水が存在するが、太陽の光と熱が届かないためこれをプランクトンの栄養源に転化させることができない。これを太陽の熱と光の届く海表近くに湧き昇らせれば植物性プランクトンの大量に発生させて、動物性プランクトンに餌を供給することが可能になる。動物性プランクトンは魚の主たる餌だからこの食物連鎖を拡大する結果、魚類を大量に増殖できる。
他方、大気中の二酸化炭素は濃度が高くなり、これが海水にも溶け込んで海水の酸性化を招きつつあると指摘され、地球環境の破壊をもたらす大きな課題だが、植物性プランクトンは二酸化炭素を分解して増殖、成長するので地球温暖化防止の効果を合わせもつ。【０００７】    人工的に海底山脈を造って海底にある深層水を上層部へ湧き昇らせ、栄養塩類をプランクトン、魚類の飼料に転化させて漁獲を殖やすというＨａｚａｍａ  Ｃｏｒｐｏｒａｔｉｏｎのアイデアはよいアイデアであるが、その建設に多大な費用がかかり過ぎて、広く普及させることができない。そこで、もっと低廉な設備投資で同じ効果が得られる方法を開発することが課題である。
【課題を解決するための手段】
【０００７】    本考案は海底にある間隔をおいて数本の杭を打ち込み、これを支柱として、各支柱の上部に一連の帆布（またはネット）の一辺を掛け、下方の一辺に数個のアンカーを取り付ける。こうして帆布（またはネット）を流下する底層流に向けて展開し、流下してくる低層流を海の表面へ湧き上がらせる。【０００８】    展開した帆布（またはネット）の下には一回り小さい帆布（またはネット）をもう一段展開し、または下流側にも同じ構造の帆布（またはネット）を展開ことがある。これは稚魚、小魚群の安全な隠れ場所を提供するためである。【０００９】    炭素繊維の極細糸を帆布（またはネット）に含める。炭素繊維糸は水中生物を活性化させる特性をもつことが知られており、この性質を利用すれば帆布（またはネット）に大量の藻、海藻類を付着、繁殖させることができる。この帆布（またはネット）に付着して育つ海藻は、幼魚や小魚に餌と安全な隠れ場所を提供することになり、魚類の食物連鎖の発端を豊かにして漁獲を増やす。
【考案の効果】
【００１０】    本考案は海底を流れる深層水を海の表面に湧き昇らせる機能において、Ｈａｚａｍａ  Ｃｏｒｐｏｒａｔｉｏｎの人工海底山脈と全く同じ目的、機能をもつが、その建設コストを飛躍的に低減する点に主要な効果がある。【００１１】    本考案によって海の表面近くに湧き昇る深層水は、その熔存する栄養塩類を植物プランクトンの肥料となり、太陽の光と熱を吸収して植物プランクトンを大量に増殖させる。
大量発生した植物プランクトンは動物プランクトンの絶好の餌で、この餌が動物性プランクトンを大量に発生させる。さらに動物性プランクトンの大量発生は稚魚、小魚の大量増殖をもたらし、増殖した小魚が中型、大型の魚の餌となって食物連鎖を大きくし、豊富な漁獲量を実現する。
【考案を実施するための形態】
【００１２】    栄養塩類を豊富にふくむ深層水が海流を作っている海底に杭を打ち込む。この杭の頂部には帆布（またはネット）を掛けるためのフックを溶接し、そのフックの頂部にはそれぞれ海上まで届く補助ロープを取り付けておいて、杭打ち機により杭頂が適度の高さとなるように打ち込む。
【００１３】    杭の打ち込みが終わると、上流側と下流側の下段のフックに補助ロープを利用して帆布（またはネット）を取り付け、ダイバーが（または海中観測機で）取り付け作業が正常に行われたことを確認する。万一正常に取り付けられていないときはダイバーがこれを修正する。
この取り付けは帆布（またはネット）の上辺側にフックの補助ロープを通し、下辺側を外へ展伸しながら海中に降ろし、上辺側を杭のフックに引っかけるとともに下辺側の錨を海底へ降ろす作業をくり返して行う。
次いで上流側の上段、下流側上段の順に同じ作業を行う。
【図面の簡単な説明】
【００１２】
【図１】  外観図
【図２】  側面図
【符号の説明】▲１▼  海底面
▲２▼  支柱
▲３▼  下層の帆布（またはネット）
▲４▼  上層の帆布（またはネット）
▲５▼  下層の帆布を懸けるフック
▲６▼  上層の帆布を懸けるフック
▲７▼  低層流（深層水）の流れ
▲８▼  各フックに帆布を懸けるための補助ロープ（帆布を懸け終えると撤去）
▲９▼  各帆布を展開するためのアンカー
【図１】
0003164296.tif 000003
【図２】
0003164296.tif 000004
【手続補正書】
【提出日】平成22年8月31日(2010.8.31)
【手続補正１】
【補正対象書類名】実用新案登録請求の範囲
【補正対象項目名】全文
【補正方法】変更
【補正の内容】
【実用新案登録請求の範囲】
【請求項１】
海底に数本の支柱を低層流とほぼ直角に並立し、各支柱の頂部に帆布またはネットの上辺側を懸け、下辺側には錨を装備して底層流の上流側の海底に設置し、帆布またはネットの斜面を底層流に向けて拡げ、底層流をその斜面に沿って上昇させる湧昇テント。